(57)【要約】【課題】ブラッシングの際、歯の形状とブラシ束とが密接な接触を維持できるガイド空間を有する歯ブラシを提供する。【解決手段】ガイドブラシ束は、歯垢を有している部分に理想的な形でおかれるようなガイド空間Ｅを形成し、該ガイドブラシ束はＶ字型に配列され、且つ、Ｖ字型の頂部がカットされている。前記ガイドブラシ束は、垂直或いは角度を有しており、ガイド空間Ｅ内部に位置するブラシ束より少なくても３ｍｍ高い。ガイドブラシ束の活動を強化するために、ガイドブラシ束と同じ高さか、それよりも低いブラシ束をガイド空間Ｅの外側に配置することも出来る。【選択図】図１
2004529675.tif 000002
【特許請求の範囲】
【請求項１】
活性部分（Ｉ）と柄部（ＩＩ）とから構成される歯ブラシにおいて、前記活性部分は、長さ（ｄ）の上部面（Ａ）と長さ（ｃ）の下部面（Ｂ）とからなり、前記活性部分の形状が、上部面（Ａ）が先端部が丸い三角形状で前記上部面（Ａ）に続く下部面（Ｂ）が柄部を向いた先端部が丸い三角形状、上部面（Ａ）が先端部が丸い三角形状で前記上部面（Ａ）に続く下部面（Ｂ）が長方形状、或いは、上部面（Ａ）と下部面（Ｂ）とを合わせた形状が卵形状であり、前記下部面（Ｂ）表面には、柄部（ＩＩ）に向かい狭くなるＶ字型で、且つ、Ｖ字型の頂部がカットされたガイドブラシ束を有し、前記Ｖ字型の角度（β）が１５度以内であり、前記ガイドブラシ束がガイド空間（Ｅ）を形成しており、前記ガイド空間（Ｅ）内部に垂直或いは角度を有する前記ガイドブラシ束より短い短ブラシ束が配列されたことを特徴とするガイド空間を有する歯ブラシ。
【請求項２】
前記上部面（Ａ）の長さ（ｄ）は、４〜７ｍｍで、該上部面（Ａ）には垂直或いは角度を有する７〜９ｍｍの高さのブラシ束を有していることを特徴とする請求項１記載のガイド空間を有する歯ブラシ。
【請求項３】
前記下部面（Ｂ）の長さ（ｃ）は１５〜２５ｍｍで、垂直或いは角度を有する８〜１２ｍｍの高さの前記ガイドブラシ束が形成されており、且つ、該ガイドブラシ束が、前記ガイド空間（Ｅ）内部に位置する短ブラシ束より少なくても３ｍｍ高いことを特徴とする請求項１記載のガイド空間を有する歯ブラシ。
【請求項４】
Ｖ字型のガイドブラシ束が中心軸（α）を基準にして対称的に配列されており、該ガイドブラシ束のうち柄部（ＩＩ）から最も離れた部分の距離（ａ）が７〜１３ｍｍの範囲内にあることを特徴とする請求項１乃至３の何れかに記載のガイド空間を有する歯ブラシ。
【請求項５】
Ｖ字型のガイドブラシ束が中心軸（α）を基準にして対称的に配列されており、該ガイドブラシ束のうち柄部（ＩＩ）から最短の距離（ｂ）が２〜５ｍｍの範囲内にあることを特徴とする請求項１乃至３の何れかに記載のガイド空間を有する歯ブラシ。
【請求項６】
中心軸（α）に対して対称的に配列されているガイドブラシ束の数が、１５〜２５ｍｍの長さ（ｃ）の範囲内でガイド空間（Ｅ）を形成するように調整できることを特徴とする請求項１乃至３の何れかに記載のガイド空間を有する歯ブラシ。
【請求項７】
前記活性部分が、上部面（Ａ）の先端が丸い三角形状で前記上部面（Ａ）に続く下部面（Ｂ）が長方形状、或いは上部面（Ａ）と下部面（Ｂ）とを合わせた形状が卵形状であり、前記ガイド空間（Ｅ）外側には、ガイドブラシ束と同じ高さ或いは該ガイドブラシ束よりも短いブラシ束が設けられていることを特徴とする請求項１記載のガイド空間を有する歯ブラシ。
【請求項８】
Ｖ字型のガイドブラシ束が、中心軸（α）を基準にして対称的に配列されており、該ガイドブラシ束のうち柄部（ＩＩ）から最も離れた部分の距離（ａ）７〜１３ｍｍと該ガイドブラシ束のうち柄部（ＩＩ）から最短の距離（ｂ）２〜５ｍｍとが、１．４＜ａ／ｂ＜５．５となる関係であることを特徴とする請求項１乃至７の何れかに記載のガイド空間を有する歯ブラシ。
【請求項９】
垂直或いは角度を有する７〜９ｍｍの高さのブラシ束を有する上部面（Ａ）の長さ（ｄ）４〜７ｍｍと垂直或いは角度を有する８〜１２ｍｍの高さのブラシ束を有する下部面（Ｂ）の長さ（ｃ）１５〜２５ｍｍとが、０．１６＜ｄ／ｃ＜０．４６となる関係であることを特徴とする請求項１乃至８の何れかに記載のガイド空間を有する歯ブラシ。
【発明の詳細な説明】
【０００１】
本発明は、ブラシの毛束を特定位置に配列することによって、歯ブラシが歯列に沿ってガイドされるように移動する際に、歯垢を有する箇所に容易に達することを目的とした歯ブラシに関する。
【０００２】
この歯ブラシは、１つの柄部ＩＩと図１から図３に示す活性部分Ｉとから構成されている。
【０００３】
活性部分Ｉは、長さｄが４〜７ｍｍの上部面Ａと、長さｃが１５〜２５ｍｍの下部面Ｂとから構成されている。
該活性部分の形状は、上部面Ａが先端部が丸い三角形状で前記上部面Ａに続く下部面Ｂが柄部を向いた先端部が丸い三角形状（図１）、上部面Ａが先端部が丸い三角形状で前記上部面Ａに続く下部面Ｂが長方形状（図２）、或いは上部面Ａと下部面Ｂとを合わせた形状が卵形状（図３）である。
前記上部面Ａを占めるブラシ束は、垂直或いは角度を有しており７〜９ｍｍの高さを持っている。
【０００４】
下部面Ｂに配置されたブラシ束は、ある高さと場所とに該ブラシ束を特定的に植え込むことによりガイド空間と呼ばれる空間を形成するような方法で植毛されている。
【０００５】
下部面Ｂには、ガイドブラシ束と呼ばれるブラシ束が、柄部の方向に向かって徐々に狭くなるＶ字型に配列されており、且つ、柄部の方向を向いているＶ字型の頂部が、カットされている。
Ｖ字型の角度βは１５度以内であり、ガイド空間Ｅと呼ばれる空間を形成する。
ガイドブラシ束と呼ばれる、より高い毛の束は、下部面ＢにＶ字型に配列されている。
Ｖ字型のガイドブラシ束が該歯ブラシの長手方向中心軸αを基準にして対称的に配列されており、該ガイドブラシ束の高さは、８〜１２ｍｍである。
Ｖ字型のガイドブラシ束が中心軸αを基準にして対称的に配列された該ガイドブラシ束のうち柄部から最も離れている両端部の距離ａは、７〜１３ｍｍである。
【０００６】
Ｖ字型のガイドブラシ束が中心軸αを基準にして対称的に配列された該ガイドブラシ束のうち柄部から最も近い両端部の距離ｂは、２〜５ｍｍである。
【０００７】
中心軸αを基準にして対称的に配列されたＶ字型ガイドブラシ束は、互いの距離が柄部に向かって徐々に狭くなるようなガイド空間Ｅを形成している。
【０００８】
中心軸αに対して対称的に配列されたガイドブラシ束の数量は、１５〜２５ｍｍの長さｃの範囲内でガイド空間を形成するように調整することができる。
【０００９】
ガイドブラシ束の間に挟まれた下部面Ｂの中央部に配列された短ブラシ束は、歯の咀嚼面に向けられたもので、該短ブラシ束は、５〜８ｍｍの高さを持っている。
【００１０】
図２，図３に示す下部面Ｂには、ガイドブラシ束の働きを強化するために、ガイドブラシ束により形成されるガイド空間の外側に、該ガイドブラシ束と同じ高さか或いは該ガイドブラシ束よりも低い垂直ブラシ束を配置することもできる。
【００１１】
ガイド空間を形成しているガイドブラシ束は、歯列に沿った移行運動中に、歯の形状が違っていても、歯垢を有する箇所にガイドブラシ束を密着させたまま、３つの面を完全にブラッシングすることができる。
移行運動は、ガイドブラシ束の特殊な植毛のおかげでガイドされ、歯はガイド空間内に保たれる。
ガイドブラシ束と他のブラシ束との高さの違いは、最小３ｍｍである。
【００１２】
このブラシは、特に同じ配列の仕方で同じ形状の頭部（活性部分Ｉ）で電動化が可能である。
電動化される運動は、水平面での往復運動と頭部（活性部分Ｉ）の中心軸と連関する往復回転運動とになる。
使用者の年齢に応じた複数のサイズのブラシを制作することができる。
【図面の簡単な説明】
【図１】
図１は、本発明の一実施形態に係る歯ブラシの平面図である。
【図２】
図２は、本発明の他の実施形態に係る歯ブラシの平面図である。
【図３】
図３は、本発明の更に他の実施形態に係る歯ブラシの平面図である。
【符号の説明】
Ｉ  活性部分
ＩＩ  柄部
Ａ  上部面
Ｂ  下部面
Ｅ  ガイド空間
α  中心軸
β  Ｖ字型の角度
ａ  柄部から最も離れているガイドブラシ束の両端部の距離
ｂ  柄部から最も近いガイドブラシ束の両端部の距離
ｃ  下部面の長さ
ｄ  上部面の長さ
【図１】
2004529675.tif 000003
【図２】
2004529675.tif 000004
【図３】
2004529675.tif 000005
【国際公開パンフレット】
2004529675.tif 000006
2004529675.tif 000007
2004529675.tif 000008
2004529675.tif 000009
2004529675.tif 000010
2004529675.tif 000011
2004529675.tif 000012
2004529675.tif 000013
2004529675.tif 000014
2004529675.tif 000015
【国際調査報告】
2004529675.tif 000016
2004529675.tif 000017
2004529675.tif 000018
2004529675.tif 000019
2004529675.tif 000020
2004529675.tif 000021